(57)【要約】【課題】流体噴射ヘッドのワイピングを容易に行うことができるとともに、流体噴射時に流体噴射ヘッドとターゲットとの間に流れ込む空気流によって流体の着弾位置がずれることを抑制することが可能な流体噴射装置を提供する。【解決手段】インクジェット式プリンターは、上流側から下流側に向かって搬送されるカット用紙１２に向けて各ノズル２３から各インク滴を噴射する記録ヘッド１４を備えている。そして、カット用紙１２の搬送によって該カット用紙１２と記録ヘッド１４との間に流れ込む空気流に対して乱流を発生させるための各突起２５を記録ヘッド１４よりもカット用紙１２の搬送方向の上流側となる位置に設けた。【選択図】図３
2010228216.tif 000002
【特許請求の範囲】
【請求項１】
上流側から下流側に向かって搬送されるターゲットに向けてノズルから流体を噴射する流体噴射ヘッドを備えた流体噴射装置であって、
前記ターゲットの搬送によって該ターゲットと前記流体噴射ヘッドとの間に流れ込む空気流に対して乱流を発生させるための突起を前記流体噴射ヘッドよりも前記ターゲットの搬送方向の上流側となる位置に設けたことを特徴とする流体噴射装置。
【請求項２】
前記突起は前記流体噴射ヘッドにおける前記ノズルの開口が形成された面であるノズル形成面と平行な突起形成面上に形成されており、
前記突起形成面と前記ノズル形成面とは同一平面内にあることを特徴とする請求項１に記載の流体噴射装置。
【請求項３】
前記突起形成面には前記突起が複数形成されており、該各突起は前記ターゲットの搬送方向に沿って千鳥状に配置されていることを特徴とする請求項２に記載の流体噴射装置。
【請求項４】
前記突起は、円柱状または円筒状をなしていることを特徴とする請求項１〜請求項３のうちいずれか一項に記載の流体噴射装置。
【発明の詳細な説明】
【技術分野】
【０００１】
本発明は、例えば、インクジェット式プリンターなどの流体噴射装置に関する。
【背景技術】
【０００２】
一般に、流体噴射ヘッドから流体を噴射させる流体噴射装置として、インクジェット式プリンター（以下、「プリンター」という。）が広く知られている。このようなプリンターの中には、搬送中の記録用紙（ターゲット）に対して記録ヘッド（流体噴射ヘッド）のノズルからインク（流体）を噴射して印刷を行う、いわゆるラインヘッドプリンターがある。
【０００３】
こうしたプリンターでは、ノズルの目詰まりやドット抜けなどのインクの噴射不良を低減するために、記録ヘッドのクリーニングが適宜行われている。このクリーニングは、ノズルを囲うように記録ヘッドに対してキャップを当接させた後に、記録ヘッドとキャップとで気密にされる空間を吸引ポンプにより吸引して該空間に負圧を発生させ、この発生させた負圧によりノズルから増粘したインクとともに気泡をキャップ内へ強制的に排出させるものである。
【０００４】
そして、上述したようなプリンターでは、通常、クリーニングを行った後に、記録ヘッドのノズル形成面に付着した不要なインクを除去したり、ノズル内のインクメニスカスを整えたりするため、記録ヘッドのノズル形成面をゴム等からなるワイパーによってワイピングするようになっている。
【０００５】
また、ラインヘッドプリンターは、特に業務用のものである場合、印刷時における記録用紙の搬送速度が速いため、該記録用紙の搬送によって生じる風によって記録用紙に対するインクの着弾位置が風下側にずれて、印刷画像に風紋のようなもの（意図しない模様）が生じてしまうという問題があった。こうした問題を解決するべく、従来は、特許文献１に示すようなラインヘッドプリンターが提案されている。
【０００６】
この特許文献１のプリンターでは、印刷時に搬送される記録紙（記録用紙）によってノズル部材（記録ヘッド）の外表面（ノズル形成面）と記録紙との間の狭い隙間に発生する強い隙間風によってインク吐出孔（ノズル）から吐出されるインク滴の着弾位置がずれてしまうのを抑制するべく、ノズル部材の外表面における各インク吐出孔に対する記録紙の搬送方向上流側の近接位置にそれぞれ突起を形成している。すなわち、上記隙間風が各突起に当たることで各突起の下流側に発生する渦巻きによって空気の流れを一部相殺し、各インク吐出孔上を通る隙間風を弱めるようにしている。
【先行技術文献】
【特許文献】
【０００７】
【特許文献１】特開２００２−１２７４２４号公報
【発明の概要】
【発明が解決しようとする課題】
【０００８】
ところで、特許文献１のプリンターでは、ノズル部材の外表面に突起が形成されているため、ワイピングを行う際に該突起が障害となり、ノズル部材の外表面のワイピングを行うことが困難であるという問題があった。
【０００９】
本発明は、このような従来技術に存在する問題点に着目してなされたものである。その目的とするところは、流体噴射ヘッドのワイピングを容易に行うことができるとともに、流体噴射時に流体噴射ヘッドとターゲットとの間に流れ込む空気流によって流体の着弾位置がずれることを抑制することが可能な流体噴射装置を提供することにある。
【課題を解決するための手段】
【００１０】
上記目的を達成するために、本発明の流体噴射装置は、上流側から下流側に向かって搬送されるターゲットに向けてノズルから流体を噴射する流体噴射ヘッドを備えた流体噴射装置であって、前記ターゲットの搬送によって該ターゲットと前記流体噴射ヘッドとの間に流れ込む空気流に対して乱流を発生させるための突起を前記流体噴射ヘッドよりも前記ターゲットの搬送方向の上流側となる位置に設けた。
【００１１】
この発明によれば、突起によりターゲットと流体噴射ヘッドとの間に流れ込む空気流に乱流が発生するため、該空気流の流速が低下する。このため、流体噴射ヘッドのノズルからターゲットに噴射される流体に対する上記空気流の影響が低減されるので、ターゲットに対する流体の着弾位置のずれが抑制される。加えて、突起が流体噴射ヘッドよりもターゲットの搬送方向の上流側となる位置に設けられているため、流体噴射ヘッドのワイピングを行う際に該突起が邪魔になることがない。したがって、流体噴射ヘッドのワイピングを容易に行うことができるとともに、流体噴射時に流体噴射ヘッドとターゲットとの間に流れ込む空気流によって流体の着弾位置がずれることを抑制することが可能となる。
【００１２】
本発明の流体噴射装置において、前記突起は前記流体噴射ヘッドにおける前記ノズルの開口が形成された面であるノズル形成面と平行な突起形成面上に形成されており、前記突起形成面と前記ノズル形成面とは同一平面内にある。
【００１３】
この発明によれば、突起形成面とノズル形成面とが面一になるため、ターゲットと流体噴射ヘッドとの間に流れ込む空気流に突起全体が晒されるようになる。このため、ターゲットと流体噴射ヘッドとの間に流れ込む空気流に対して効果的に乱流を発生させることが可能となる。
【００１４】
本発明の流体噴射装置において、前記突起形成面には前記突起が複数形成されており、該各突起は前記ターゲットの搬送方向に沿って千鳥状に配置されている。
この発明によれば、突起形成面に複数の突起がターゲットの搬送方向に沿って千鳥状に配置されているため、ターゲットと流体噴射ヘッドとの間に流れ込む空気流に対して広い範囲で乱流を発生させることが可能となる。このため、流体噴射時に流体噴射ヘッドとターゲットとの間に流れ込む空気流によってターゲットに対して流体の着弾位置がずれるときの方向が偏ることを抑制することが可能となる。
【００１５】
本発明の流体噴射装置において、前記突起は、円柱状または円筒状をなしている。
この発明によれば、ターゲットと流体噴射ヘッドとの間に流れ込む空気流に渦が形成されやすくなるので、該空気流に対して効率よく乱流を発生させることが可能となる。
【図面の簡単な説明】
【００１６】
【図１】実施形態のインクジェット式プリンターの概略構成を示す模式図。
【図２】図１の要部拡大斜視図。
【図３】図２の正面図。
【図４】実施形態において、記録ヘッドの各ノズルと突起形成部材の各突起との位置関係を示す底面図。
【図５】実施形態において、（ａ）は記録ヘッドが上昇したワイパーに当接したときの状態を示す正面図、（ｂ）は記録ヘッドのノズル形成面がワイパーによってワイピングされるときの状態を示す正面図。
【発明を実施するための形態】
【００１７】
以下、本発明の流体噴射装置をインクジェット式プリンターに具体化した一実施形態を図面に基づいて説明する。なお、以下の説明において、「前後方向」、「左右方向」、「上下方向」をいう場合は図１及び図２に矢印で示す前後方向、左右方向、上下方向をそれぞれ示すものとする。
【００１８】
図１に示すように、流体噴射装置としてのインクジェット式プリンター１１は、本体フレーム（図示略）内に、ターゲットとしてのカット用紙１２を搬送するための搬送手段としての搬送ユニット１３と、該搬送ユニット１３の上方に該搬送ユニット１３と対向するように配置された流体噴射ヘッドとしての直方体状の記録ヘッド１４とを備えている。
【００１９】
搬送ユニット１３は、左右方向に長い矩形板状のプラテン１５を備えている。プラテン１５の右側には前後方向に延びる駆動ローラー１６が駆動モーター１７によって回転駆動可能に配置される一方、プラテン１５の左側には前後方向に延びる従動ローラー１８が回転可能に配置されている。さらに、プラテン１５の下側には前後方向に延びるテンションローラー１９が回転可能に配置されている。
【００２０】
図１及び図２に示すように、駆動ローラー１６、従動ローラー１８、及びテンションローラー１９には、プラテン１５を囲むように、多数の貫通孔２０ａを有する無端状の搬送ベルト２０が巻き回されている。この場合、テンションローラー１９は、ばね部材（図示略）によって下側に向かって付勢されており、搬送ベルト２０にテンションを付与することで該搬送ベルト２０の弛みを抑制するようになっている。
【００２１】
そして、駆動ローラー１６を前側から見て反時計方向に回転駆動することで、搬送ベルト２０が駆動ローラー１６、テンションローラー１９、及び従動ローラー１８の外側を前側から見て反時計方向に周回移動されるようになっている。この場合、搬送ベルト２０の内側の面はプラテン１５の上面を右側から左側に向かって摺動するとともに、搬送ベルト２０上のカット用紙１２は上流側である右側から下流側である左側に向かって搬送されるようになっている。
【００２２】
また、プラテン１５の上面には多数の吸引孔（図示略）が開口しており、プラテン１５の上面と対向する位置にあるカット用紙１２はプラテン１５に設けられた吸引手段（図示略）によって各吸引孔（図示略）を介して搬送ベルト２０越しにプラテン１５側に吸引されるようになっている。すなわち、搬送ベルト２０上におけるプラテン１５の上面と対応する領域にあるカット用紙１２は、吸引手段（図示略）によって搬送ベルト２０上に吸着されるようになっている。
【００２３】
また、駆動ローラー１６の右斜め上側には、未印刷のカット用紙１２を１枚ずつ搬送ベルト２０上に給紙するための上下一対の給紙ローラー２１が設けられている。一方、従動ローラー１８の左斜め上側には、印刷後のカット用紙１２を１枚ずつ順次搬送ベルト２０上から排紙するための上下一対の排紙ローラー２２が設けられている。
【００２４】
図１及び図３に示すように、記録ヘッド１４は、移動機構（図示略）によって左右方向に移動可能に構成されており、記録ヘッド１４の下面は搬送ユニット１３によって搬送されるカット用紙１２に流体としてのインクを噴射するための複数のノズル２３の開口が形成された水平なノズル形成面１４ａになっている。
【００２５】
また、記録ヘッド１４にはインクカートリッジ（図示略）から各色のインクが供給されるようになっている。そして、記録ヘッド１４を静止させた状態で、搬送ユニット１３によって記録ヘッド１４と一定の距離を保ちながら搬送されているカット用紙１２に対して記録ヘッド１４の各ノズル２３から各インクをそれぞれ噴射して付着させることで印刷が行われるようになっている。
【００２６】
記録ヘッド１４の右側面には、本体フレーム（図示略）内に固定された前後方向に延びる直角三角柱状をなす突起形成部材２４が隣接している。すなわち、突起形成部材２４は、左側面が記録ヘッド１４の右側面と隣接しているとともに鉛直面と平行になっており、且つ下面が水平面と平行になっており、且つ上面が記録ヘッド１４に向かって上昇するように傾斜している。突起形成部材２４の下面は複数の円柱状をなす突起２５が設けられた突起形成面２４ａになっており、該突起形成面２４ａは記録ヘッド１４のノズル形成面１４ａと面一になっている。
【００２７】
すなわち、図３及び図４に示すように、突起形成面２４ａとノズル形成面１４ａとは同一の水平面内にあり、突起形成面２４ａ上の各突起２５はカット用紙１２の搬送方向である左右方向に沿って千鳥状をなすように配置されている。
【００２８】
図１に示すように、排紙ローラー２２の左側には、記録ヘッド１４のクリーニング等のメンテナンスを行うためのメンテナンスユニット２６が設けられており、該メンテナンスユニット２６は、有底四角箱状をなすキャップ２７と、該キャップ２７の右側に配置されるとともにゴム等のエラストマーからなる平板状のワイパー２８とを備えている。キャップ２７及びワイパー２８は昇降装置（図示略）によってそれぞれ昇降されるようになっている。そして、記録ヘッド１４をキャップ２７の真上まで移動させた状態でキャップ２７を上昇させると、キャップ２７が記録ヘッド１４の各ノズル２３を囲うように記録ヘッド１４に対して当接するようになっている。
【００２９】
キャップ２７の底壁には該キャップ２７内からインクを排出するための可撓性を有する排出チューブ２９の基端側（上流側）が接続され、該排出チューブ２９の他端側（下流側）は廃インクタンク３０に接続されている。排出チューブ２９の途中位置には該排出チューブ２９内をキャップ２７側から廃インクタンク３０側へ向かって吸引するためのチューブポンプ３１が設けられている。
【００３０】
そして、キャップ２７を記録ヘッド１４に当接させた状態でチューブポンプ３１を駆動すると、排出チューブ２９を介してキャップ２７内の空間が吸引されて、該空間に負圧が発生する。この負圧により、各ノズル２３から増粘したインクが気泡等とともに吸引されてキャップ２７及び排出チューブ２９を介して廃インクタンク３０内に排出される、いわゆるクリーニングが行われるようになっている。
【００３１】
また、クリーニングの完了後、キャップ２７を下降させるとともにワイパー２８を上昇させて記録ヘッド１４を搬送ユニット１３と対向する元の位置（印刷位置）に向かう方向である右方向へ移動させると、記録ヘッド１４の右側面における下端部がワイパー２８に当接した状態（図５（ａ）に示す状態）となる。この状態から、さらに記録ヘッド１４を右方向へ移動させると、図５（ｂ）に示すように、ワイパー２８が弾性変形しながら記録ヘッド１４のノズル形成面１４ａをワイピング（払拭）するようになっている。このワイパー２８によるワイピングにより、記録ヘッド１４のノズル形成面１４ａに付着した不要なインクが除去されるとともに、記録ヘッド１４の各ノズル２３内のインクメニスカスが整えられる。
【００３２】
次に、インクジェット式プリンター１１の作用について説明する。
さて、カット用紙１２の印刷を行う場合には、搬送ユニット１３によりカット用紙１２を右側から左側に向かって搬送しながら、静止した記録ヘッド１４の各ノズル２３から該カット用紙１２に対して各インクをそれぞれ噴射させる。すると、噴射された各インク滴がカット用紙１２に着弾して該カット用紙１２上に画像が形成され、カット用紙１２の印刷が完了する。
【００３３】
ここで、通常、搬送中のカット用紙１２に向かって静止した記録ヘッド１４の各ノズル２３から各インクを噴射すると、カット用紙１２の上側には該カット用紙１２の搬送にともなって右側から左側に向かって流れる空気流（層流）が発生しているため、該空気流によって各ノズル２３から噴射された各インク滴のカット用紙１２に対する着弾位置が全体的に左側に偏るようにずれてしまう。この各インク滴の着弾位置の偏った方向へのずれにより、カット用紙１２上に形成される印刷画像に風紋のようなもの（意図しない模様）が生じて印刷品質が低下してしまう。
【００３４】
この点、本実施形態では、カット用紙１２の搬送方向における記録ヘッド１４の上流側（右側）には、ノズル形成面１４ａと面一になっているとともに複数の突起２５が左右方向に沿って千鳥状となるように設けられた突起形成面２４ａを有する突起形成部材２４が配置されている。このため、搬送中のカット用紙１２と記録ヘッド１４のノズル形成面１４ａとの間に流れ込む空気流には、該空気流の上流側に位置する各突起２５によって渦が形成されて乱流が発生する。
【００３５】
このため、カット用紙１２と記録ヘッド１４のノズル形成面１４ａとの間に流れ込む空気流の流速が抑えられて各ノズル２３から噴射された各インク滴のカット用紙１２に対する着弾位置のずれの量が抑えられるとともに、該各インク滴の着弾位置が偏った方向にずれることが抑えられる。この結果、カット用紙１２上に形成された印刷画像に生じる風紋のようなもの（意図しない模様）が目立たなくなるため、印刷品質の低下が抑制される。
【００３６】
また、カット用紙１２と記録ヘッド１４のノズル形成面１４ａとの間に流れ込む空気流に乱流を発生させるための各突起２５は、ノズル形成面１４ａではなく記録ヘッド１４とは別体の突起形成部材２４の突起形成面２４ａに設けられている。このため、記録ヘッド１４のクリーニング後に、ワイパー２８によって記録ヘッド１４のノズル形成面１４ａをワイピングする際に各突起２５が邪魔になることがない。したがって、ワイパー２８による記録ヘッド１４のノズル形成面１４ａのワイピングを容易かつ円滑に行うことができる。
【００３７】
以上、詳述した実施形態によれば以下の効果を得ることができる。
（１）各突起２５によりカット用紙１２の搬送にともなって該カット用紙１２と記録ヘッド１４のノズル形成面１４ａとの間に流れ込む空気流に乱流を発生させることができるため、該空気流の流速を低下させることができる。このため、各ノズル２３からカット用紙１２に噴射される各インク滴に対する上記空気流の影響を低減することができるので、カット用紙１２に対する各インク滴の着弾位置のずれを抑制することができる。加えて、各突起２５が記録ヘッド１４のノズル形成面１４ａでなく記録ヘッド１４よりも上記空気流の上流側となる右側の位置に配置された突起形成部材２４の突起形成面２４ａに設けられているため、記録ヘッド１４のノズル形成面１４ａのワイピングを行う際に各突起２５が邪魔になることがない。したがって、記録ヘッド１４のノズル形成面１４ａのワイピングを容易に行うことができるとともに、カット用紙１２の印刷時に記録ヘッド１４のノズル形成面１４ａとの間に流れ込む空気流によって各ノズル２３から噴射された各インク滴のカット用紙１２に対する着弾位置がずれることを抑制することができる。
【００３８】
（２）各突起２５が形成された突起形成面２４ａと各ノズル２３の開口が形成されたノズル形成面１４ａとが面一になっているため、カット用紙１２の搬送にともなって該カット用紙１２と記録ヘッド１４のノズル形成面１４ａとの間に流れ込む空気流に対して各突起２５全体を晒すことができる。このため、該空気流に対して効果的に乱流を発生させることができる。
【００３９】
（３）突起形成面２４ａには各突起２５がカット用紙１２の搬送方向である左右方向に沿って千鳥状に配置されているため、カット用紙１２の搬送にともなって該カット用紙１２と記録ヘッド１４のノズル形成面１４ａとの間に流れ込む空気流に対して広い範囲で乱流を発生させることができる。このため、カット用紙１２の印刷時に、該空気流によって該カット用紙１２に対して各ノズル２３から噴射された各インク滴の着弾位置がずれるときの方向が偏ることを効果的に抑制することができる。したがって、この各インク滴の着弾位置の偏った方向へのずれによってカット用紙１２上に形成される印刷画像に風紋のようなもの（意図しない模様）を目立たなくすることができ、印刷品質の低下を抑制することができる。
【００４０】
（４）各突起２５は円柱状をなしているため、カット用紙１２の搬送にともなって該カット用紙１２と記録ヘッド１４のノズル形成面１４ａとの間に流れ込む空気流に渦が形成されやすくなる。このため、該空気流に対して効率よく乱流を発生させることができる。
（変更例）
なお、上記実施形態は以下のように変更してもよい。
【００４１】
・各突起２５は円筒状や球状であってもよいし、あるいは多角柱や楕円柱であってもよい。
・各突起２５の先端は、尖らせるようにしてもよいし、丸みを帯びるようにしてもよい。
【００４２】
・突起形成面２４ａ上に形成された各突起２５は、千鳥配置でなく、前後方向及び左右方向に沿って等間隔で規則的に配置した並列配置にしてもよいし、ランダムに配置してもよい。
【００４３】
・突起形成面２４ａとノズル形成面１４ａとは必ずしも同一平面内にある（面一にする）必要はない。但しこの場合、突起形成面２４ａに形成された各突起２５がノズル形成面１４ａよりもカット用紙１２側へ突出するように構成する必要がある。
【００４４】
・突起形成部材２４は、各突起２５が形成された平坦な突起形成面２４ａを有していれば、例えば矩形板状や円板状など、どのような形状であってもよい。
・記録ヘッド１４の前側面及び後側面のうち少なくとも一方に隣接するように突起形成部材２４をさらに配置してもよい。
【００４５】
・各突起２５のうちの少なくとも一部を毛羽によって構成してもよい。
・カット用紙１２を長尺状の連続紙（ロール紙）に変更してもよい。
・カット用紙１２の代わりに、プラスチックフィルムシートや布などをターゲットとして用いてもよい。
【００４６】
・上記実施形態では、インクジェット式プリンター１１が採用されているが、インク以外の他の流体を噴射したり吐出したりする流体噴射装置を採用してもよい。また、微小量の液滴を吐出させる液体噴射ヘッド等を備える各種の液体噴射装置に流用可能である。この場合、液滴とは、上記液体噴射装置から吐出される液体の状態を言い、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体、また物質の一状態としての液体のみならず、顔料や金属粒子などの固形物からなる機能材料の粒子が溶媒に溶解、分散または混合されたものなどを含む。また、液体の代表的な例としては上記実施形態で説明したようなインクや液晶等が挙げられる。ここで、インクとは一般的な水性インクおよび油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルターの製造などに用いられる電極材や色材などの材料を分散または溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサー等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。そして、これらのうちいずれか一種の液体噴射装置に本発明を適用することができる。
【００４７】
さらに、上記実施形態から把握できる技術的思想を以下に記載する。
（イ）前記突起は、毛羽によって構成されていることを特徴とする請求項１〜請求項４のうちいずれか一項に記載の流体噴射装置。
【符号の説明】
【００４８】
１１…流体噴射装置としてのインクジェット式プリンター、１２…ターゲットとしてのカット用紙、１４…流体噴射ヘッドとしての記録ヘッド、１４ａ…ノズル形成面、２３…ノズル、２４ａ…突起形成面、２５…突起。
【図１】
2010228216.tif 000003
【図２】
2010228216.tif 000004
【図３】
2010228216.tif 000005
【図４】
2010228216.tif 000006
【図５】
2010228216.tif 000007